(57)【要約】【課題】簡単な構造で容易に製造可能であり、かつ確実にプレートを支持できるプレート立てを提供すること。【解決手段】本発明のプレート立ては、底部の前部近傍に設けられた、プレート１０を係止するフックと、設置した場合に設置面１１と平行となり、辺の前部が前記フックよりも後ろに位置する上辺と、前記上辺の近傍に設けられた孔とを備えた２枚の板状部材２０、２１と、前記孔よりもわずかに細く、両端につばを備え、前記孔を貫通する棒状部材３０とからなる。本発明のプレート立ては、簡単な構造で容易に製造可能であり、組み立て工程がないので手間がかからない。また、底面が長方形となるので、安定して支持することができる。【選択図】      図１
2004248948.tif 000002
【特許請求の範囲】
【請求項１】
設置した場合に設置面と接触する底部と、底部の前部近傍に設けられたフックと、設置した場合に設置面と平行となり、辺の前部が前記フックよりも後ろに位置する上辺と、前記上辺の近傍に設けられた孔とを備えた２枚の板状部材と、
前記孔よりもわずかに細い棒状部材と
からなることを特徴とするプレート立て。
【請求項２】
前記孔および棒状部材は２個あり、２つの孔の中心を結ぶ線が前記上辺と平行であることを特徴とする請求項１に記載のプレート立て。
【発明の詳細な説明】
【０００１】
【発明の属する技術分野】
本発明はプレート立てに関し、特に単純な構成でプレートを確実に支持できるプレート立てに関するものである。
【０００２】
【従来の技術】
従来、机上等の平面に写真や広告板、額、絵皿などの板状部材であるプレートを立てる場合には、背面に支持用の部材を取り付けたり、あるいは２枚の板状部材を蝶番を用いて連結し、蝶番と反対側の傾斜した辺の底部にフックを形成して蝶番の軸が垂直になるように平面に設置してプレートを支持するものがあった。
【０００３】
【発明が解決しようとする課題】
上記した従来の技術において、背面に支持用の部材を取り付けると、プレートを交換して展示する場合においても全てのプレートに部材を取り付ける必要があり、プレートの製作に手間がかかるという問題点があった。また、従来のプレート立てにおいては、２枚の板状部材を蝶番で連結する作業が必要であり、製造に手間がかかる、あるいは底面が３角形となるので安定性が悪いなどの問題点があった。
【０００４】
本発明の目的は、前記のような従来技術の問題点を解決し、簡単な構造で容易に製造可能であり、かつ確実にプレートを支持できるプレート立てを提供することにある。
【０００５】
【課題を解決するための手段】
本発明のプレート立ては、設置した場合に設置面と接触する底部と、底部の前部近傍に設けられたフックと、設置した場合に設置面と平行となり、辺の前部が前記フックよりも後ろに位置する上辺と、前記上辺の近傍に設けられた孔とを備えた２枚の板状部材と、前記孔よりもわずかに細い棒状部材とからなることを特徴とする。
【０００６】
本発明のプレート立ては、簡単な構造で容易に製造可能であり、組み立て工程がないので手間がかからない。また、底面が長方形となるので、安定して支持することができる。
【０００７】
【発明の実施の形態】
以下、本発明の実施の形態を詳細に説明する。図１は、本発明のプレート立てを使用してプレートを支持した構成を示す背面図である。また図２は、本発明のプレート立てを使用してプレートを支持した構成を示す側面図である。
【０００８】
プレート立ては左右２つの板状部材２０、２１、およびそれらを連結する棒状部材３０からなる。棒状部材３０は、左右２つの板状部材２０、２１の上辺２５の近傍に設けられた、棒状部材より少し大きな孔を貫通しており、両端には抜け、脱落防止のためのつばが設けられている。
【０００９】
プレート立てを使用する際には、孔と棒状部材３０とが当接してそれ以上開かなくなるまで、左右２つの板状部材２０、２１の底部２４を左右に開き、平面１１に設置する。そして、板状部材の前方下部に設けられたフック２３にプレート１０を係合させて、プレート１０をプレート立てに立てかける。
【００１０】
図３は、本発明のプレート立てを構成する部品の構成を示す平面図および断面図である。左右２つの板状部材２０、２１は図示するような同一の形状をしており、材質としては、鉄やアルミニウムなどの金属、プラスティック、木材などを採用可能である。
【００１１】
板状部材の底部２４は中央部がわずかに浮き上がった曲線を採用しているが、直線であってもよい。底部の設置面と当接する両端近傍を結ぶ直線と上辺２５とは平行であり、また上辺の近傍に設けられた２つの円形の孔２６、２７の中心を結ぶ線とも平行である。
【００１２】
板状部材の前方下部、底部の前部近傍に設けられたフック２３はプレートを係止する窪みが２箇所設けられており、使用者はプレート１０の傾斜角度を選択することができる。
【００１３】
上辺２５の前部はフック２３よりも後ろに位置しており、プレートを支持する場合には、板状部材のフック２３にプレート１０を係合させて、プレート１０を上辺２５の前部に当接させることにより立てかける。
【００１４】
棒状部材３０は、本実施例においては、孔２５、２６より大きなつばを備えたビス３２およびネジ溝を切った孔を有する横断面が円形の棒状部材３１からなる。図３においては縦断面が示されている。棒状部材３１の端部にはビス３２と同様のつばが設けられている。ビスを使用することにより、ビスを外して棒状部材３０、左右２つの板状部材２０、２１がそれぞれ分離できるので、輸送時などに薄く収納することが可能となる。
【００１５】
なお、棒状部材３０については、リベットのように分離不能なものであってもよく、またネジ溝を切った孔を有する筒状部材の両端にビスを装着したものでもよい。
【００１６】
図４は、本発明のプレート立ての他の実施例の構成を示す側面図である。本発明のプレート立てにおいては、棒状部材の径が一定の場合には板状部材に設けた孔２６、２７の大きさおよび板状部材の厚さによって設置時の傾斜角度が決まる。従って、大きさの異なる複数の孔を設けておけば、使用者が棒状部材３０を挿す孔を選択することによって所望の傾斜を選択可能となる。
【００１７】
図４（ａ）は、大きめの孔４０、４１および小さめの孔４２、４３からなる大きさの異なる２種類の孔を設けた例である。傾斜を大きくしたい場合には大きめの孔４０、４１を使用し、傾斜を小さくしたい場合には小さめの孔４２、４３を使用する。図４（ｂ）は、孔を１個だけ設けた例であり、１個でも支持は可能である。なお、孔の数は３個以上であってもよい。
【００１８】
図５は、本発明のプレート立ての他の実施例の構成を示す背面図である。図示するように、長い棒状部材５０を使用することにより、左右２つの板状部材２０、２１の間隔を任意の長さにして設置することが可能であり、横長のプレートもバランス良く支持できる。
【００１９】
以上、本発明の実施例を開示したが、本発明には下記のような変形例も考えられる。実施例においては、棒状部材の断面および孔の形状が円形である例を開示したが、棒状部材の断面および孔の形状は正方形などの正多角形あるいは長方形、楕円などであってもよい。
【００２０】
実施例においては、図３に示すような構成の板状部材を開示したが、板状部材において形状が規定される必要があるのは、底部、フック、上辺、孔の相互の位置関係であり、例えば板状部材の中央部分の形状は強度（剛性）が満足される限り任意である。
本発明においては、プレートとは写真や広告板、額、絵皿などの板状部材を指すが、本発明は支持されるものが板状であれば前記したもの以外にも任意の物品を立てかけるために使用可能である。
【００２１】
【発明の効果】
以上述べたように、本発明のプレート立ては、簡単な構造で容易に製造可能であり、かつ使用者がビスをねじ込むだけで組み立てられるので、製造時の組み立て工程がなく、手間がかからないという効果がある。また、底面が長方形となるので、プレートを安定して支持することができ、設置する面に凹凸やねじれがある場合でも、板状部材と棒状部材の間に遊びがあるので、それぞれの板状部材が設置面に確実に接触し、がたつくことがないという効果がある。
【図面の簡単な説明】
【図１】本発明のプレート立てを使用してプレートを支持した構成を示す背面図である。
【図２】本発明のプレート立てを使用してプレートを支持した構成を示す側面図である。
【図３】本発明のプレート立てを構成する部品の構成を示す平面図および断面図である。
【図４】本発明のプレート立ての他の実施例の構成を示す側面図である。
【図５】本発明のプレート立ての他の実施例の構成を示す背面図である。
【符号の説明】
１０…プレート、１１…設置面、２０、２１…板状部材、２３…フック、２４…底部、２５…上辺、２６、２７…孔、３０…棒状部材、３１…棒状部材、３２…ビス
【図１】
2004248948.tif 000003
【図２】
2004248948.tif 000004
【図３】
2004248948.tif 000005
【図４】
2004248948.tif 000006
【図５】
2004248948.tif 000007